【手続補正書】
【提出日】平成16年11月18日(2004.11.18)
【手続補正１】
【補正対象書類名】特許請求の範囲
【補正対象項目名】全文
【補正方法】変更
【補正の内容】
【特許請求の範囲】
【請求項１】
ａ）プライマー処理した表面部分を有する基材と、
ｂ）前記プライマー処理した表面部分に配した放射線硬化させたインクジェット印刷画像と、
を含む物品であって、前記物品は、２５℃の温度で水に２４時間浸漬させたとき、または、約−４０℃〜約６０℃の範囲の温度（湿潤または乾燥）に暴露させたときに、剥離しまたは劣化することがない物品。
【請求項２】
前記基材はシートであり、該シートは再帰反射性可視表面を含む、請求項１に記載の物品。
【請求項３】
前記プライマー処理した表面部分が、アクリル樹脂、ポリビニル樹脂、ポリエステル、ポリアクリレート、ポリウレタンおよびそれらの混合物を含む少なくとも１種の成膜性樹脂を含む、請求項１に記載の物品。
【請求項４】
請求項１に記載の物品を含む標識。
【請求項５】
請求項１に記載の物品を含む商業用グラフィックフィルム。
【請求項６】
ａ）少なくとも１種の水系プライマー組成物または溶媒系プライマー組成物をシートまたはポリマー基材の少なくとも一部に塗布する工程と、
ｂ）水または溶媒を蒸発させてプライマー処理した表面を形成する工程と、
ｃ）前記プライマー処理した表面の上に放射線硬化性インク組成物をインクジェット印刷する工程と、
ｄ）前記インクを硬化させて画像形成させた物品を形成する工程と、
を含み、前記物品は、２５℃の温度で水に２４時間浸漬させたとき、または、約−４０℃〜６０℃の範囲の温度（湿潤または乾燥）に暴露させたときに、剥離しまたは劣化することがない、インクジェット印刷方法。
【請求項７】
ａ）放射線硬化性プライマー組成物をシートまたはポリマー基材の少なくとも一部に塗布して、プライマー処理した表面を形成する工程と、
ｂ）前記プライマー処理した表面の上に放射線硬化性インク組成物をインクジェット印刷する工程と、
ｃ）前記インクを硬化させて画像形成させた物品を形成する工程と、
を含み、前記物品は、２５℃の温度で水に２４時間浸漬させたとき、または、約−４０℃〜６０℃の範囲の温度（湿潤または乾燥）に暴露させたときに、剥離しまたは劣化することがない、インクジェット印刷方法。
【手続補正２】
【補正対象書類名】明細書
【補正対象項目名】０１９５
【補正方法】変更
【補正の内容】
【０１９５】
【表１７】
2004532144.tif 000001
本発明の態様を示すと以下のとおりである。
（１）ａ）プライマー処理した表面部分を有するシートと、
ｂ）前記プライマー処理した表面部分に配した放射線硬化させたインクジェット印刷画像と、
を含む物品であって、前記物品が屋外使用のための耐久性を有している物品。
（２）前記シートがポリマー材料を含む、（１）に記載の物品。
（３）前記ポリマー材料が熱可塑性または熱硬化性である、（２）に記載の物品。
（４）前記ポリマーシート材料が、アクリル含有フィルム、ポリ（塩化ビニル）含有フィルム、ポリ（フッ化ビニル）含有フィルム、ウレタン含有フィルム、メラミン含有フィルム、ポリビニルブチラール含有フィルム、ポリオレフィン含有フィルム、ポリエステル含有フィルムおよびポリカーボネート含有フィルムの少なくとも１つである、（３）に記載の物品。
（５）前記シートが再帰反射性可視表面を含む、（１）に記載の物品。
（６）前記画像が、同一のシートであるがプライマー処理していない前記シートの上にインクジェット印刷した同一の画像と比較して、総合的な印刷品質において改良を示す、（１）に記載の物品。
（７）前記インクジェット印刷画像が、ＡＳＴＭ  Ｄ  ３３５９−９５Ａ測定法による、プライマー処理した表面部分への付着率が少なくとも約８０％を示すインクを含む、（１）に記載の物品。
（８）前記プライマー処理した表面部分が、ＡＳＴＭ  Ｄ  ３３５９−９５Ａ測定法による、シートへの付着率が少なくとも約８０％を示すプライマーを含む、（１）に記載の物品。
（９）前記画像が少なくとも約１．５の黒の色濃度を有する、（１）に記載の物品。
（１０）前記画像が、少なくとも［（２）1/2］／ｄｐｉのインクドット直径を有し、ここで印刷の解像度におけるｄｐｉが直線１インチあたりのドット数である、（１）に記載の物品。
（１１）前記プライマー処理した表面部分が、アクリル樹脂、ポリビニル樹脂、ポリエステル、ポリアクリレート、ポリウレタンおよびそれらの混合物を含む少なくとも１種の成膜性樹脂を含む、（１）に記載の物品。
（１２）前記プライマー処理した表面部分が少なくとも２５重量％のアクリル樹脂を含む、（１）に記載の物品。
（１３）前記プライマー処理した表面部分が少なくとも５０重量％のアクリル樹脂を含む、（１）に記載の物品。
（１４）前記プライマー処理した表面部分が少なくとも１０重量％のポリウレタン樹脂を含む、（１）に記載の物品。
（１５）前記プライマー処理した表面部分が少なくとも２５重量％のポリウレタン樹脂を含む、（１）に記載の物品。
（１６）前記プライマー処理した表面部分が架橋させたポリ（メタ）アクリレートを含む、（１）に記載の物品。
（１７）前記プライマー処理した表面部分が少なくとも１種の着色剤を含む、（１）に記載の物品。
（１８）前記インクが架橋させたポリ（メタ）アクリレートを含む、（１）に記載の物品。
（１９）ａ）プライマー処理した表面部分を有するポリマー基材と、
ｂ）前記プライマー処理した表面部分に配した放射線硬化させたインクジェット印刷画像と、
を含む物品であって、前記物品が屋外使用のための耐久性を有している物品。
（２０）（１）に記載の物品を含む標識。
（２１）（１）に記載の物品を含む商業用グラフィックフィルム。
（２２）ａ）少なくとも１種の水系プライマー組成物または溶媒系プライマー組成物をシートまたはポリマー基材の少なくとも一部に塗布する工程と、
ｂ）水または溶媒を蒸発させてプライマー処理した表面を形成する工程と、
ｃ）前記プライマー処理した表面の上に放射線硬化性インク組成物をインクジェット印刷する工程と、
ｄ）前記インクを硬化させて画像形成させた物品を形成する工程と、
を含み、前記物品が屋外使用のための耐久性を有しているインクジェット印刷方法。
（２３）前記インク組成物が、プライマー表面中へと拡散する液状成分を含む、（２２）に記載の方法。
（２４）前記プライマー組成物が前記インクに対して反応性である、（２２）に記載の方法。
（２５）前記プライマー組成物が前記インクに対して非反応性である、（２２）に記載の方法。
（２６）前記プライマー処理した表面が実質的に前記画像と同じ大きさおよび形状に相当する、（２２）に記載の方法。
（２７）前記プライマー組成物が少なくとも２５重量％のアクリル樹脂を含む、（２２）に記載の方法。
（２８）前記プライマー組成物が少なくとも５０重量％のアクリル樹脂を含む、（２２）に記載の方法。
（２９）前記プライマー組成物が少なくとも１０重量％のポリウレタン樹脂を含む、（２２）に記載の方法。
（３０）前記プライマー組成物が少なくとも２５重量％のポリウレタン樹脂を含む、（２２）に記載の方法。
（３１）前記インクが、プリントヘッド温度において約３センチポアズ〜約３０センチポアズの粘度を有する、（２２）に記載の方法。
（３２）前記インク組成物が少なくとも１種の放射線硬化性成分を含み、前記成分がポリマー、オリゴマー、マクロモノマー、モノマー、またはそれらの混合物である、（２２）に記載の方法。
（３３）前記インクが、
（ａ）オリゴ／樹脂成分と、
（ｂ）低Ｔｇの複素環式モノマーおよび／またはペンダントしたアルコキシル化官能基を含むモノマーを含む付着促進性放射線硬化性成分を０．１〜５０重量％含む反応性希釈剤と、
を含み、ただし反応性希釈剤の約１０重量％未満が主鎖にアルコキシル化官能基を含むモノマーを占める、（２２）に記載の方法。
（３４）前記インクが、高Ｔｇ成分、多官能性モノマー、低界面張力成分、光沢成分、およびそれらの混合物の少なくとも１種をさらに含む、（３３）に記載の方法。
（３５）前記インクが実質的に溶媒を含まない、（３３）に記載の方法。
（３６）ａ）放射線硬化性プライマー組成物をシートまたはポリマー基材の少なくとも一部に塗布して、プライマー処理した表面を形成する工程と、
ｂ）前記プライマー処理した表面の上に放射線硬化性インク組成物をインクジェット印刷する工程と、
ｃ）前記インクを硬化させて画像形成させた物品を形成する工程と、
を含み、前記物品が屋外使用のための耐久性を有しているインクジェット印刷方法。
（３７）インクジェット印刷の前に前記プライマー組成物を硬化させることをさらに含む、（３６）に記載の方法。
（３８）前記インク組成物が、プライマー表面中へと拡散する液状成分を含む、（３６）に記載の方法。
（３９）前記プライマー組成物が前記インクに対して反応性である、（３６）に記載の方法。
（４０）前記プライマー組成物が前記インクに対して非反応性である、（３６）に記載の方法。
（４１）前記プライマー組成物が実質的に着色剤を含まない、（３６）に記載の方法。
（４２）前記プライマー処理した表面が実質的に前記画像と同じ大きさおよび形状に相当する、（３６）に記載の方法。
（４３）前記プライマー組成物が少なくとも１種の放射線硬化性成分を含み、前記成分がポリマー、オリゴマー、マクロモノマー、モノマー、またはそれらの混合物である、（３６）に記載の方法。
（４４）前記インク組成物が少なくとも１種の放射線硬化性成分を含み、前記成分がポリマー、オリゴマー、マクロモノマー、モノマー、またはそれらの混合物である、（３６）に記載の方法。
（４５）前記インクが、プリントヘッド温度において約３センチポアズ〜約３０センチポアズの粘度を有する、（３６）に記載の方法。
（４６）前記インクが、
（ａ）オリゴ／樹脂成分と、
（ｂ）低Ｔｇの複素環式モノマーおよび／またはペンダントしたアルコキシル化官能基を含むモノマーを含む付着促進性放射線硬化性成分を０．１〜５０重量％含む反応性希釈剤と、
を含み、ただし反応性希釈剤の約１０重量％未満が主鎖にアルコキシル化官能基を含むモノマーを占める、（３６）に記載の方法。
（４７）前記インクが、高Ｔｇ成分、多官能性モノマー、低界面張力成分、光沢成分、およびそれらの混合物の少なくとも１種をさらに含む、（４６）に記載の方法。
（４８）前記インクが実質的に溶媒を含まない、（４６）に記載の方法。
（４９）前記画像の上に配した保護層をさらに含む、（１）に記載の物品。
（５０）前記画像の上に配した保護層をさらに含む、（１９）に記載の物品。